(57)【要約】【課題】  ストロボ光の配光偏倚を補正して、適正な露出で撮影できるストロボを搭載した撮像装置を得る。【解決手段】  光学レンズと、上記光学レンズを介して受光面に結像した被写体の像に基づく画像信号を出力する撮像素子と、上記画像信号を画像データに変換する画像処理手段と、上記被写体に閃光を照射するストロボ装置と、を有し、上記画像データに基づき上記被写体までの距離を求める距離検出手段と、上記被写体までの距離に基づき、上記閃光の配光偏倚量を求める配光偏倚決定手段と、上記画像データの露光量を決定するために用いる画像処理パラメータを、上記配光偏倚量に基づいて補正する画像処理パラメータ補正手段と、を有する撮像装置による。【選択図】図２
2014053869.tif 000002
【特許請求の範囲】
【請求項１】
光学レンズと、
上記光学レンズを介して受光面に結像した被写体の像に基づく画像信号を出力する撮像素子と、
上記画像信号を画像データに変換する画像処理手段と、
上記被写体に閃光を照射するストロボ装置と、
を有する撮像装置であって、
上記画像データに基づき上記被写体までの距離を求める距離検出手段と、
上記被写体までの距離に基づき、上記閃光の配光偏倚量を求める配光偏倚決定手段と、
上記画像データの露光量を決定するために用いる画像処理パラメータを、上記配光偏倚量に基づいて補正する画像処理パラメータ補正手段と、
を有することを特徴とする撮像装置。
【請求項２】
光学レンズと、
上記光学レンズを介して受光面に結像した被写体の像に基づく画像信号を出力する撮像素子と、
上記画像信号を画像データに変換する画像処理手段と、
上記被写体に閃光を照射するストロボ装置と、
を有する撮像装置であって、
上記画像データに基づき上記被写体までの距離を求める距離検出手段と、
を有し、
上記被写体までの距離に基づき、上記閃光の配光偏倚量を求め、上記画像データの露光量を決定するために用いる画像処理パラメータを、上記配光偏倚量に基づいて補正すること
を特徴とする撮像装置。
【請求項３】
上記画像処理パラメータは、上記露光量を決定するための測光エリアの位置である、
請求項１または２記載の撮像装置。
【請求項４】
上記画像処理パラメータは、上記露光量を決定するための測光エリアの大きさである、
請求項１または２記載の撮像装置。
【請求項５】
上記画像データを所定の画像エリアに分割する画像分割手段を有し、
上記距離検出手段は、上記分割された画像エリアごとに上記距離を求め、
上記画像処理パラメータ補正手段は、上記配光偏倚量に基づいて補正した場合の測光エリアに係る距離と補正前の測光エリアに係る距離の差が所定の値より小さいとき、上記画像処理パラメータを補正する、請求項３または４記載の撮像装置。
【請求項６】
上記画像信号を表示する表示部をさらに有し、
上記表示部上において、上記ストロボ装置の配光中心部を表示すること
を特徴とする請求項１乃至５のいずれかに記載の撮像装置。
【請求項７】
光学レンズと、
上記光学レンズを介して受光面に結像した被写体の像に基づく画像信号を出力する撮像素子と、
上記画像信号を画像データに変換する画像処理手段と、
上記被写体に閃光を照射するストロボ装置と、
を有する撮像装置であって、
上記画像データに基づき上記被写体までの距離を求める距離検出手段と、
上記画像信号を表示する表示部と、
を有し、
上記表示部上において、上記ストロボ装置の配光中心部を表示すること
を特徴とする撮像装置。
【請求項８】
上記被写体までの距離に基づき、上記閃光の配光偏倚量を求め、
上記配光偏倚量に基づいて、上記ストロボ装置の配光中心部を含むように、上記画像データの露光量を決定するための測光エリアの位置、または大きさの何れか一方を変更すること
を特徴とする請求項７記載の撮像装置。
【発明の詳細な説明】
【技術分野】
【０００１】
本発明は、ストロボを搭載した撮像装置に関するものであって、詳しくは、ストロボ光の配光偏倚を補正して、適正な露光量で撮影できる撮像装置に関するものである。
【背景技術】
【０００２】
被写体に向けてストロボ光を照射して露光量を調整するストロボ装置を搭載した撮像装置が知られている。このような撮像装置は、撮影レンズを筐体の中央部に搭載し、ストロボ装置を、筐体の上端部に搭載することが多い。そうすると、撮影レンズの光軸（以下「レンズ光軸」という。）とストロボ装置の光軸（以下「ストロボ光軸」という。）に、空間的視差（以下「パララックス」という。）が生じる。このパララックスによって、ストロボ光が被写体に及ぼす配光曲線がずれることがある。配光曲線がずれると、配光分布の偏倚（以下「配光偏倚」という。）が生ずるので、ストロボ光により、画角に収めた被写体の露光が偏ることになる。
【０００３】
ここで、パララックスについて説明する。図８は、従来の撮像装置の例である。図８に示すように、撮像装置１１の筐体ほぼ中央には、撮影レンズ１２が配置されている。また、撮像装置１１の筐体上端部には、ストロボ装置１３が配置されている。撮影レンズ１２の光軸であるレンズ光軸１４と、ストロボ装置１３の光軸であるストロボ光軸１５は、水平方向において「Ｘ」、垂直方向において「Ｙ」に相当する分だけ離れている。
【０００４】
次に、撮像装置１１を用いて被写体Ｚを撮影する状態の例を図９に示す。図９に示すように、撮像装置１１の撮像面と被写体Ｚまでの距離をＬとする。なお、被写体Ｚは均一な被写体とする。図１０は、図９に示した撮影状態におけるストロボ光の配光分布の例を示す図である。図１０において画像エリア１００は、所定の焦点距離において、撮像装置１１が撮像し記録する画像データの領域全体を示している。
【０００５】
図１０（ａ）は、被写体Ｚまでの距離Ｌが十分遠い場合の例である。レンズ光軸１４の中心（以下「レンズ光軸中心１６」という）は、画像エリア１００の中央に位置する。撮像装置１１から被写体Ｚまで距離Ｌが十分遠いとき、ストロボ光軸１５の中心（以下「ストロボ配光中心１７」という）も、画像エリア１００の中心付近に位置する。このように、レンズ光軸中心１６とストロボ配光中心１７の位置が同じときは、パララックスは生じない。よって、被写体Ｚまでの距離Ｌが十分遠い場合は、図１０（ａ）に示すように、ストロボ光は画像エリア１００の中心付近に向けて照射されて、このストロボ光による配光分布は、画像エリア１００の中心から周辺に向けて暗くなるように分布する。このような配光分布においては、配光偏倚は生じない。
【０００６】
図１０（ｂ）は、被写体Ｚまでの距離Ｌが近い場合の例である。撮像装置１１から被写体Ｚまでの距離が近いときであっても、レンズ光軸中心１６は、画像エリア１００の中央に位置する。しかし、ストロボ配光中心１７は、画像エリア１００の中心付近ではなく、ストロボ光軸１５の方向にずれる。すなわち、ストロボ配光中心１７は、レンズ光軸中心１６に対して、水平方向において「ａ」、垂直方向において「ｂ」だけずれた位置にある。このａ、ｂからなるストロボ配光中心１７のずれがパララックスである。パララックスが生じると、ストロボ配光中心１７が画像エリア１００の中心からずれるため、配光偏奇が生じる。
【０００７】
パララックスは、被写体Ｚまでの距離Ｌと、レンズ光軸１４とストロボ光軸１５の水平方向の距離Ｘと、レンズ光軸１４とストロボ光軸１５の垂直方向の距離Ｙと、撮像装置１１の焦点距離と、を用いることで、演算により特定することができる。
【０００８】
次に、撮像装置１１における撮影処理の例について図１１のフローチャートを用いて説明する。図１１において、各処理ステップはＳ１０１、１０２・・・のように表す。まず、撮像装置１１が備えるレリーズスイッチ（不図示）が軽く押し下げられて「第１レリーズ」が検知されると（Ｓ１０１のＹｅｓ）、ＡＦ処理が開始される（Ｓ１０２）。第１レリーズが検知されるまで処理Ｓ１０１をループさせる（Ｓ１０１のＮｏ）。ＡＦ処理の結果に基づいて、被写体Ｚまでの距離Ｌが算出される。ＡＦ処理に続いて、ＡＥ処理が行われる（Ｓ１０３）。ＡＥ処理により、撮影時の露光条件が算出される。
【０００９】
次いで、ＡＥ処理の結果と予め設定されている撮像モードの設定に基づいて、撮影時のストロボ装置１３の使用有無を判定する（Ｓ１０４）。被写体Ｚが十分明るい場合や、ストロボ発光が禁止されている場合は（Ｓ１０４のＮｏ）、ストロボ装置１３を使用しない通常撮影が行われる（Ｓ１１１）。
【００１０】
ストロボ発光が禁止されておらず、被写体Ｚの露光量が不足しているときは（Ｓ１０４のＹｅｓ）、ストロボ撮影が行われる。次いで、レリーズスイッチ（不図示）が深く押し下げられて、「第２レリーズ」が検知されると（Ｓ１０５のＹｅｓ）、プリ発光処理（Ｓ１０６）と測光処理（Ｓ１０７）が行われる。この測光処理の結果に基づいて、ストロボ装置１３の本発光量を含む撮影条件を算出する撮影条件演算処理が行われる（Ｓ１０８）。次いで、算出された撮影条件に基づいて撮影処理が開始され（Ｓ１０９）、ストロボ装置１３が発光する（Ｓ１１０）。
【００１１】
次に、測光処理（Ｓ１０７）について説明する。図１２は、画像エリア１００に対して設定される測光エリア１０とストロボ配光中心１７との関係を説明する模式図である。図１２において十字破線は、ストロボ配光中心１７を示している。また、破線枠は測光エリア１０を示している。一般的な撮影シーンでは、被写体Ｚは画面エリア１００の中心にくるように撮影される。よって、測光エリア１０は画像エリア１００の中心付近に設定されている。測光処理（Ｓ１０７）において算出される撮影条件は、この測光エリア１０内における被写体の明るさ平均が、適正になるような値である。
【００１２】
図１２（ａ）は、撮像装置１１と被写体Ｚが十分遠く、距離Ｌが長い場合の例である。この場合は、図１２（ａ）に示すように、ストロボ配光中心１７は測光エリア１０の中にある。このため、測光エリア１０内の被写体画像の明るさに基づき算出される撮影条件は、適正な値になる。
【００１３】
図１２（ｂ）は、撮像装置１１と被写体Ｚが近く、距離Ｌが短い場合の例である。この場合は、図１２（ｂ）に示すように、パララックスの影響によってストロボ配光中心１７が、測光エリア１０から大きく外れた位置にある。ストロボ配光中心１７が測光エリア１０から外れていると、測光エリア１０に基づく測光処理の結果を用いて撮影条件を算出したときに、画像エリア１００の中心部の露光量が適正になるような値が算出される。そうすると、画像エリア１００の中心部から離れたストロボ配光中心１７がある部分の画像は明るさが過剰になる。すなわち、撮像装置１１と被写体Ｚが近く、パララックスの影響によって配光偏倚が生じる場合は、ストロボ配光中心１７の部分が明るすぎる画像になり、画像全体としてのバランスが悪い状態で撮影されることになる。
【００１４】
次に、一般的な被写体を撮影するときのパララックスの影響について説明する。図１３は、一般的な被写体Ｚ１を撮影する状態の例を示す図である。撮像装置１１の撮像面から被写体Ｚ１までの距離をＬとする。図１４は、図１３に示した撮影状態における配光分布の例を示す図である。
【００１５】
図１４（ａ）は、被写体Ｚ１までの距離Ｌが十分遠い場合の例である。撮像装置１１から被写体Ｚ１までの距離Ｌが遠いとき、パララックスの影響は小さいから、
ストロボ中心１７は測光エリア１０のほぼ中心付近にある。この場合、被写体Ｚ１へ露光量は適正になり、画像全体として適正な露光がなされた画像となる。
【００１６】
図１４（ｂ）は、被写体Ｚ１までの距離Ｌが近い場合の例である。撮像装置１１と被写体Ｚ１の距離が近いときは、パララックスの影響が大きくなる。よって、ストロボ配光中心１７は測光エリア１０から外れて、画像エリア１００の左上あたりにずれる。この場合、被写体Ｚ１の大部分は適正な明るさで撮影されるが、ストロボ配光中心１７付近の被写体Ｚ１の露光量はオーバーになる。以上のように、従来の撮像装置１１では、被写体までの距離が近いと、配光偏倚が生じ、適正な露光量で撮影することが困難になる。
【００１７】
このような課題に対処するため、撮影レンズの画角（焦点距離）に応じて、ストロボ光の照射角を機械的に変化させるストロボ装置が知られている。このストロボ装置は、ストロボ撮影の際の画角（焦点距離）と、ストロボ光の照射角との整合をとることができる。
【００１８】
また、ストロボ以外の光源（ＬＥＤなど）を併用して露光量の偏りを緩和するものも知られている。また、被写体までの距離と撮影レンズの特性、および、パララックスによる配光偏倚によってずれるストロボ光の明暗の分布に合わせてゲインを変更し、デジタル的に露光量を補正するものも知られている。また、パララックスによる配光偏倚を緩和するために、パララックスによるストロボ光の偏りをあらかじめ記憶しておき、撮影した画像を複数の画像エリアに分割して、各画像エリアにおける露光量の偏りを軽減させる画像処理を行う撮像装置が知られている（例えば、特許文献１を参照）。
【００１９】
しかし、特許文献１の撮像装置を含めた上記従来の発明には改善の余地がある。すなわち、上記の従来の撮像装置等は、撮像装置の大型化やコストアップの防止、および、撮影画像への複雑な画像処理への対応において、さらなる改善を図る余地がある。
【発明の概要】
【発明が解決しようとする課題】
【００２０】
本発明は、上記課題に鑑みてなされたものであって、撮像装置の大型化や画像処理を複雑化させることなく、パララックスによる配光偏倚を軽減して、良好なストロボ撮影画像を得ることができる撮像装置を提供することを目的とする。
【課題を解決するための手段】
【００２１】
本発明は、光学レンズと、上記光学レンズを介して受光面に結像した被写体の像に基づく画像信号を出力する撮像素子と、上記画像信号を画像データに変換する画像処理手段と、上記被写体に閃光を照射するストロボ装置と、を有する撮像装置であって、上記画像データに基づき上記被写体までの距離を求める距離検出手段と、上記被写体までの距離に基づき、上記閃光の配光偏倚量を求める配光偏倚決定手段と、上記画像データの露光量を決定するために用いる画像処理パラメータを、上記配光偏倚量に基づいて補正する画像処理パラメータ補正手段と、を有することを最も主要な特徴とする。
【発明の効果】
【００２２】
本発明によれば、パララックスによる配光偏倚を軽減し、良好なストロボ撮影画像を得ることができる。
【図面の簡単な説明】
【００２３】
【図１】本発明に係る撮像装置の実施の形態を示す正面図である。
【図２】上記撮像装置の機能ブロック図である。
【図３】上記撮像装置による撮影処理の例を示すフローチャートである。
【図４】上記撮像装置を用いた測光エリアのシフト処理の例を示す模式図である。
【図５】上記撮像装置による撮影処理の別の例を示すフローチャートである。
【図６】上記撮像装置のＡＦ処理に用いられる画像ブロックの例を示す図である。
【図７】上記撮像装置を用いた測光エリアのシフト処理の別の例を示す模式図である。
【図８】従来の撮像装置の例を示す正面図である。
【図９】従来の撮像装置を用いた撮影状態の例を示す模式図である。
【図１０】上記の撮影状態における配光分布であって、（ａ）被写体までの距離が十分遠い場合、（ｂ）被写体までの距離が近い場合、の例を示す模式図である。
【図１１】従来の撮像装置における撮影処理の例を示すフローチャートである。
【図１２】従来の撮像装置における測光エリアとストロボ配光の関係を示す模式図である。
【図１３】従来の撮像装置を用いた撮影状態の別の例を示す模式図である。
【図１４】上記の撮影状態における被写体までの距離が（ａ）十分遠い場合、（ｂ）近い場合、の配光分布の別の例を示す模式図である。
【発明を実施するための形態】
【００２４】
以下、本発明に係る撮像装置の実施の形態について図面を参照しながら説明する。図１は、本実施の形態に係る撮像装置１の正面図である。図１に示すように、撮像装置１の筐体ほぼ中央部には、撮影レンズ２が配置されている。また、撮像装置１１の筐体上端部には、ストロボ装置３が配置されている。よって、撮影レンズ２の光軸であるレンズ光軸４と、ストロボ装置３の光軸であるストロボ光軸５は、水平方向において「Ｘ」、垂直方向において「Ｙ」に相当する分だけ離れている。この符号Ｘおよび符号Ｙで表されるレンズ光軸４とストロボ光軸５の距離は、撮像装置１が備える記憶部に予め記憶されている。
【００２５】
●撮像装置１の機能ブロック
次に、撮像装置１の機能ブロックについて図２を用いて説明する。本実施の形態に係る撮像装置１の動作処理（機能）は、デジタル信号処理ＩＣ（集積回路）等として構成されるデジタルスチルカメラプロセッサ１０４（以下、単に「プロセッサ１０４」という。）によって制御される。プロセッサ１０４は、ＣＣＤ１信号処理ブロック１０４−１と、ＣＣＤ２信号処理ブロック１０４−２と、ＣＰＵ（中央処理ユニット）ブロック１０４−３と、ＬｏｃａｌＳＲＡＭ（ＳＲＡＭ：スタティックランダムアクセスメモリ）１０４−４と、ＵＳＢ（ユニバーサルシリアルバス）ブロック１０４−５と、シリアルブロック１０４−６と、ＪＰＥＧコーデック（ＣＯＤＥＣ）ブロック１０４−７と、リサイズ（ＲＥＳＩＺＥ）ブロック１０４−８と、ＴＶ信号表示ブロック１０４−９と、メモリカードコントローラブロック１０４−１０と、を有してなり、これら各ブロックは相互にバスラインで接続されている。
【００２６】
プロセッサ１０４の外部には、撮影対象の被写体の像に基づく画像データを保存するためのＳＤＲＡＭ１０３と、ＲＡＭ１０７と、内蔵メモリ１２０と、制御プログラムが格納されたＲＯＭ１０８と、が配置されており、バスラインを介してプロセッサ１０４に接続されている。ＳＤＲＡＭ１０３に保存される画像データは、例えば、ＲＡＷ−ＲＧＢ画像データ、ＹＵＶ画像データおよびＪＰＥＧ画像データである。
【００２７】
鏡胴ユニット７１は、ズームレンズ７−１ａを有するズーム光学系７−１と、フォーカスレンズ７−２ａを有するフォーカス光学系７−２と、絞り７−３ａを有する絞りユニット７−３と、メカニカルシャッタ７−４ａを有するメカシャッタユニット７−４と、を備えている。ズーム光学系７−１、フォーカス光学系７−２、絞りユニット７−３、メカシャッタユニット７−４はそれぞれＺＯＯＭモータ７−１ｂ、ＦＯＣＵＳモータ７−２ｂ、絞りモータ７−３ｂ、メカシャッタモータ７−４ｂ、によって駆動されるように構成されている。ＺＯＯＭモータ７−１ｂとＦＯＣＵＳモータ７−２ｂはＣＰＵブロック１０４−３によって制御されるモータドライバ７−５によって動作が制御される。これらモータが撮影レンズ移動手段を構成する。また絞りモータ７−３ｂおよびメカシャッタモータ７−４ｂも、ＣＰＵブロック１０４−３によって制御されるモータドライバ７−５によって動作が制御される。
【００２８】
ズームレンズ７−１ａおよびフォーカスレンズ７−２ａは、ＣＣＤ１０１の撮像面上に被写体像を結像するための撮影レンズ２を構成する。ＣＣＤ１０１は撮像素子であって、被写体像を電気的な画像信号に変換してＦ／Ｅ−ＩＣ１０２に入力する。Ｆ／Ｅ−ＩＣ１０２は、ＣＤＳ（相関二重サンプリング部）１０２−１と、ＡＧＣ（自動利得制御部）１０２−２と、Ａ／Ｄ（アナログ−デジタル）変換部１０２−３と、を有し前記画像信号に対してそれぞれ所定の処理を行う。Ｆ／Ｅ−ＩＣ１０２が行う信号処理は、ＴＧ（タイミングジェネレータ）１０２−４に入力されるＶＤ・ＨＤ（垂直駆動・水平駆動）信号に同期して処理される。
【００２９】
ＣＣＤ１０１から出力された画像信号は、Ｆ／Ｅ−ＩＣ１０２よって、デジタルデータに変換されて、ＣＣＤ１信号処理ブロック１０４−１に入力される。ＣＣＤ１信号処理ブロック１０４−１は、入力されたデジタルデータに対し、ホワイトバランス調整およびγ調整等の信号処理を行い、画像データとしてＳＤＲＡＭ１０３に保存する。また、ＣＣＤ１信号処理ブロック１０４−１は、ＶＤ信号およびＨＤ信号を出力する。撮像装置１の撮像手段は、ＣＣＤ１０１、Ｆ／Ｅ−ＩＣ１０２、ＣＣＤ信号処理ブロック１０４−１、ＣＰＵブロック１０４−３によって構成される。
【００３０】
ＣＰＵブロック１０４−３は、音声記録回路１１５−１による音声記録動作を制御する。音声記録回路１１５−１は、マイクロホン１１５−３で変換されマイクロホンアンプ１１５−２によって増幅した音声信号を音声データに変換し、内蔵メモリ１２０に記録する回路である。また、ＣＰＵブロック１０４−３は、音声再生回路１１６−１の動作も制御する。音声再生回路１１６−１は、音声記録回路１１５−１によって内蔵メモリ１２０に記録されている音声データを読み出して、オーディオアンプ１１６−２で増幅しスピーカ１１６−３から出力する回路である。
【００３１】
また、ＣＰＵブロック１０４−３は、ストロボ回路１１４を制御して動作させることによってストロボ装置３から照明光を発光させる。さらに、ＣＰＵブロック１０４−３は、プロセッサ１０４の外部に配置されるサブＣＰＵ１０９にも回路的に接続されている。サブＣＰＵ１０９は、サブＬＣＤドライバ１１１を介してサブＬＣＤ１９による表示を制御する。またサブＣＰＵ１０９は、ＡＦ用ＬＥＤ８、ストロボＬＥＤ９、スイッチＳＷ１からスイッチＳＷ１３を備えてなる操作部およびブザー１１３にもそれぞれ結合されている。
【００３２】
ＵＳＢブロック１０４−５は、ＵＳＢコネクタ１２２に結合されている。シリアルブロック１０４−６は、シリアルドライバ回路１２３−１を介してＲＳ−２３２Ｃコネクタに結合されている。ＴＶ信号表示ブロック１０４−９は、ＬＣＤドライバ１１７を介してＬＣＤモニタ１２４に接続されている。また、ＴＶ信号表示ブロック１０４−９は、ビデオアンプ１１８を介してビデオジャック１１９にも結合されている。メモリカードコントローラブロック１０４−１０は、メモリカードスロット１２１のカード接点に接続されており、メモリカードスロット１２１にメモリカードが装填されると、メモリカードと電気的に接続する。
【００３３】
上記の構成を備えた撮像装置１において、モードダイヤルＳＷ２（不図示）を撮影モードに設定すると、ＣＰＵブロック１０４−３が、サブＣＰＵ１０９を介して、モードダイヤルＳＷ２の状態を検知する。モードダイヤルＳＷ２の設定に基づいて、モータドライバ７−５が制御されて、鏡胴ユニット７１を撮影可能な位置に移動させる。さらにＣＣＤ１０１、Ｆ／Ｅ−ＩＣ１０２、ＬＣＤモニタ１２４等の各部に電源を投入して動作を開始させる。各部の電源が投入されると、ファインダモードの動作が開始される。
【００３４】
ファインダモードは、撮影レンズ２を介してＣＣＤ１０１に入射した被写体光が、電気信号に変換されてＲ・Ｇ・Ｂのアナログ信号としてＣＤＳ１０２−１に入力される。このアナログ信号が、ＡＧＣ１０２−２を介してＡ／Ｄ変換器１０２−３に送られて、Ａ／Ｄ変換器１０２−３においてＲＧＢのデジタルデータに変換される。このデジタルデータがＬＣＤモニタ１２４またはＴＶ信号表示ブロック１０４−９、ビデオアンプ１１８およびビデオジャック１１９を介してＴＶ（テレビジョン）に表示される。
【００３５】
Ａ／Ｄ変換器１０２−３においてデジタルデータに変換されたＲ、Ｇ、Ｂの各画像データは、ＹＵＶ変換手段であるＣＣＤ２信号処理ブロック１０４−２によってＹＵＶ形式の画像データに変換され、ＳＤＲＡＭ１０３に保存される。なお、ＣＣＤ２信号処理ブロック１０４−２は、ＲＧＢ画像データにフィルタリング処理等の適切な処理を施してＹＵＶ画像データへ変換する。
【００３６】
ＳＤＲＡＭ１０３に保存された画像データは、ＣＰＵブロック１０４−３によって読み出されて、ＬＣＤモニタ１２４などへ送られて表示される。被写体光の入射からＬＣＤモニタ１２４への表示出力までの処理が１／３０秒間隔で行われる。これによって、１／３０秒毎に更新されるファインダモードの表示機能が実現される。
【００３７】
ここで、撮像装置１におけるＡＦ処理およびＡＥ処理について説明をする。ＡＦ処理は、撮影レンズ２を介してＣＣＤ１信号処理ブロック１０４−１に取り込まれた画像データに基づいて行われる。ＡＦ処理は、画像データの少なくとも一部の合焦度合いを示すＡＦ評価値を算出し、このＡＦ評価値のピークとなるレンズ位置に撮影レンズ２を自動的に移動させる処理である。
【００３８】
ＡＦ評価値は、撮影レンズ２を介して取得された画像データの特定範囲内から算出される。この特定範囲をＡＦ処理エリアといい、画像エリア１００の中心付近に設定されるエリアである。ＡＦ処理エリアは、画像データを構成する縦と横の画素数をそれぞれ１００％としたとき、例えば、画像中央の水平方向４０％、垂直方向３０％の範囲とする。ＡＦ処理エリアを大きくすると、ＡＦ処理に要する時間がかかるが精度が増す、ＡＦ処理エリアを小さくすると精度は落ちるがＡＦ処理に要する時間が短縮される。したがって、ＡＦ処理エリアのサイズはＡＦ処理時間と精度との兼ね合いで適宜設定される。
【００３９】
また、ＡＥ処理は、撮影レンズ２を介してＣＣＤ１信号処理ブロック１０４−１に取り込まれた画像データに基づいてＡＥ評価値を算出する。このＡＥ評価値に基づいて、画像データの露光量が算出される。算出された露光量に基づいて、画像データの露光制御が行なわれる。ＡＥ評価値は、デジタルＲＧＢ信号を、例えば、水平１６エリア×垂直１６エリアに分割したときの、各エリアの輝度データである。各エリア内の画素に対して所定の閾値を超えるものを対象画素とし、その輝度値を加算、対象画素数で乗算することによって算出される。
【００４０】
このＡＥ評価値は、画面内において予め規定される測光エリア内の画像データに基づく。この測光エリアに係る情報は、露光量を算出するための画像処理パラメータである。
【００４１】
撮像装置１は複数の撮影モードを備えており、各撮影モードによって、ＡＦ撮影範囲が異なる。例えば、通常ＡＦモードはＡＦ撮影範囲を１ｍから無限遠とし、マクロＡＦモードは、ＡＦ撮影範囲を１ｃｍから無限遠としている。ＡＦモードの設定は、モードダイヤルＳＷ２によって行なう。
【００４２】
●撮像装置１の処理（１）
次に、撮像装置１において実行される撮影処理の例について図３のフローチャートを用いて説明する。図３において、各処理ステップをＳ１１、Ｓ１２、・・・のように表す。
【００４３】
まず、撮像装置１が備えるレリーズスイッチ（不図示）が軽く押し下げられて「第１レリーズ」が検知されると（Ｓ１１のＹｅｓ）、ＡＦ処理が開始される（Ｓ１２）。第１レリーズが検知されるまで処理Ｓ１１をループさせる（Ｓ１１のＮｏ）。ＡＦ処理の結果に基づいて、被写体Ｚまでの距離Ｌが算出される。次いで、ＡＥ処理が行われる（Ｓ１３）。ＡＥ処理の結果に基づいて、撮影時の露光量が決定される。
【００４４】
次いで、ＡＦ処理により算出された被写体までの距離Ｌと、内蔵メモリ１２０に記録されてある撮影レンズ２の光軸４とストロボの光軸５の距離Ｘおよび距離Ｙと、焦点距離に基づいて、パララックス（ストロボ配光偏倚量）が算出される。
【００４５】
次いで、ＡＥ処理の結果に基づいて、撮影時のストロボ装置３の使用有無を判定する（Ｓ１５）。被写体の十分明るい場合や、ストロボの発光が禁止されている場合は（Ｓ１５のＮｏ）、ストロボ装置３を使用しない通常撮影の処理が行われる（Ｓ２３）。
【００４６】
ＡＥ処理の結果に基づいてストロボ装置３を使用すると判定されたとき（Ｓ１５のＹｅｓ）、レリーズスイッチ（不図示）が深く押し下げられて「第２レリーズ」が検知されると（Ｓ１６のＹｅｓ）、Ｓ１４において算出されたパララックスに基づいて、測光エリア１０のシフト処理が行われる（Ｓ１７）。測光エリア１０のシフト処理の詳細は、後述する。
【００４７】
次いで、プリ発光処理（Ｓ１８）とシフトされた測光エリア１０に基づく測光処理（Ｓ１９）が行われる。この測光結果に基づいて、ストロボ装置３の本発光量を含む撮影条件が算出される（Ｓ２０）。次いで、算出された撮影条件に基づいて撮影処理が開始され（Ｓ２１）、ストロボ装置３が発光する（Ｓ２２）。
【００４８】
●測光エリア１０のシフト処理
次に、測光エリア１０のシフト処理（図３のＳ１７）について説明する。図４は、測光エリア１０のシフト処理（Ｓ１７）によって、補正された測光エリア１０の例を示す模式図である。図４は、被写体Ｚ１と、予め設定されている測光エリア１０と、シフトされた補正測光エリア２０との関係を表している。
【００４９】
図４（ａ）は、パララックスによる配光偏倚を補正するために、補正測光エリア２０を、通常の測光エリア１０から、ストロボ配光中心７が含まれる方向に移動させた位置に設定した例を示している。図４（ａ）に示すように、被写体Ｚ１までの距離Ｌが近く、パララックスの影響によりストロボ配光中心７がレンズ光軸中心６から図面左上にずれるときは、通常の測光エリア１０に基づいて測光しても、適正な露光量を算出することはできない。そこで、パララックスによる配光偏倚を補正するため、測光エリア１０の位置を補正測光エリア２０において示す位置にずらして、ストロボ配光中心７が含まれる状態で測光する。
【００５０】
このように、画像処理パラメータである測光エリア１０の位置を、パララックスに基づいて変更する。具体的には、測光エリア１０の位置を、ストロボ配光中心７を含む位置に平行移動させて、補正測光エリア２０を設定する。この補正測光エリア２０に含まれる画像データを用いて、露光量を算出することで、至近距離の被写体に対してストロボ撮影を行ったとしても、適正な露光制御を行うことができる。
【００５１】
測光エリア１０のシフト処理は、図４（ａ）を用いて説明した例に限ることはない。例えば、図４（ｂ）に示すように、測光エリア１０の大きさを拡大してもよい。すなわち、画像処理パラメータである露光量の算出に用いる画像データを規定する測光エリア１０の大きさを、大きくして、補正測光エリア２０としてもよい。この補正測光エリア２０に含まれる画像データを用いて、露出量を算出することで、至近距離の被写体に対してストロボ撮影を行ったとしても、適正な露光制御を行うことができる。
【００５２】
以上のように、本実施の形態に係る撮像装置１は、パララックスを考慮して測光エリア１０を補正した補正測光エリア２０を設定することで、適正な撮影条件を算出することができる。これによって、画面中心部は適正な明るさと比べると若干暗くなるが、良好なストロボ撮影画像を得ることができる。なお、パララックスにより偏倚したストロボ配光中心７と被写体Ｚ１に応じてさらに複雑なパターンに変更してもよい。
【００５３】
●撮像装置１の処理（２）
次に、撮像装置１において実行される撮影処理の別の例について図５のフローチャートを用いて説明する。図５において、各処理ステップをＳ１１、Ｓ１２、・・・として表し、図３を用いて説明した処理と同様の処理には同じ符号を用いることとし、詳細な説明を省略する。第１レリーズが検知されたとき（Ｓ１１のＹｅｓ）、ＡＦ処理が行われる（Ｓ１２ａ）。このＡＦ処理（Ｓ１２ａ）は、画像エリア１００を所定の画像ブロックに分割したエリアブロック１００ａごとに行われる。すなわち、エリアブロック１００ａごとに、被写体までの距離Ｌが算出される。
【００５４】
図６は、エリアブロック１００ａの例を示す図である。図６において、エリアブロック１００ａは、画像エリア１００を所定の大きさに分割して設定される。なお、説明の便宜のため、各エリアブロック１００ａには、符号を付している。
【００５５】
ＡＥ処理（Ｓ１３）の後、パララックス演算処理（Ｓ１４）が行われる。パララックス演算処理（Ｓ１４）に用いる被写体Ｚ１までの距離Ｌには、画像エリア１００の中心にあるエリアブロック１００ａ（符号Ｃ３）に係る距離Ｌを用いる。パララックス演算処理（Ｓ１４）に基づいて特定されるストロボ配光中心７の位置を、符号Ｂ２に示すエリアブロック１００ａとする。
【００５６】
次いで、ストロボを要するか否かの判定が行われて（Ｓ１５）、ストロボ撮影が必要であると判定されたとき（Ｓ１５のＹｅｓ）、かつ、第２レリーズが検出されたとき（Ｓ１６のＹｅｓ）、被写体距離分布判定処理が行われる（Ｓ２４）。被写体距離分布判定処理（Ｓ２４）は、図７に示すように、画像エリア１００の中心にある符号Ｃ３からなるエリアブロック１００ａに係る距離Ｌと、パララックス演算処理（Ｓ１４）の結果に基づいて特定されたストロボ配光中心７が存在する、符号Ｂ２からなるエリアブロック１００ａの距離Ｌを比較する。
【００５７】
レンズ光軸中心６がある符号Ｃ３のエリアブロック１００ａに係る距離Ｌと、ストロボ配光中心７がある符号Ｂ２のエリアブロック１００ａに係る距離Ｌの差が、予め規定する閾値よりも大きいとき、画像エリア１００の中心部のみに被写体Ｚ１があり、ストロボ配光中心７が存在するエリアブロック１００ａ（符号Ｂ２）には、被写体がないと判断される（Ｓ２４のＮＯ）。距離Ｌの差が小さい場合は、画像エリア１００の中心部の被写体Ｚ１とほぼ同じ距離Ｌに背景となる被写体Ｚ２が存在すると判断される（Ｓ２４のＮＯ）。
【００５８】
ここで、被写体距離分布判定処理（Ｓ２４）の例について、図７を用いて説明する。図７（ａ）は、画像エリア１００内に被写体Ｚ１と被写体Ｚ２がある状態の例である。被写体Ｚ１までの距離Ｌは、画像エリア１００のほぼ中心のエリアブロック１００ａ（符号Ｃ３）におけるＡＦ処理によって、算出される。
【００５９】
被写体Ｚ２までの距離Ｌは、画像エリア１００の左上から右下にかけて斜め方向に並んだエリアブロック１００ａにおけるＡＦ処理によって、算出される。被写体Ｚ２までの距離Ｌが算出されるエリアブロック１００ａに、ストロボ配光中心７が位置するエリアブロック１００ａがある（符号Ｂ２）。よって、この符号Ｂ２のエリアブロック１００ａの距離Ｌと、符号Ｃ３のエリアブロック１００ａの距離Ｌを比較すると、画像エリア１００の中心付近に位置する被写体Ｚ１と、背景となる被写体Ｚ２の距離Ｌの差は小さい。
【００６０】
このように、画像エリア１００内で、レンズ光軸中心６の位置に係る距離Ｌとストロボ配光中心７の位置に係る距離Ｌの差が小さいとき（Ｓ２４のＹＥＳ）、測光エリア１０を符号Ｂ２にて示すエリアブロック１００ａを含むようにシフトさせればよい（Ｓ１７）。
【００６１】
図７（ｂ）は、画像エリア１００内に被写体Ｚ１のみがある状態の例である。図７（ｂ）に示すよう撮影シーンにおいて、ＡＦ処理（Ｓ１２ａ）を実行すると、被写体Ｚ１までの距離Ｌは算出されるから、符号Ｃ３で示すエリアブロック１００ａの距離Ｌは算出される。しかし、ストロボ配光中心７が位置する符号Ｂ２からなるエリアブロック１００ａにおいては、距離Ｌが無限大になるか、算出されたとしても大きな値となる。
【００６２】
よって、この符号Ｂ２のエリアブロック１００ａの距離Ｌと、符号Ｃ３のエリアブロック１００ａの距離Ｌを比較すると、その差は大きい。このときは、測光エリアシフト処理（Ｓ１７）を行わない（Ｓ２４のＮｏ）。この場合は、背景となる被写体Ｚ２が存在しないので、ストロボ光による反射光は弱く、ストロボ配光中心７が、画像エリア１００の中心からずれていても配光偏倚は生じないからである。
【００６３】
レンズ光軸中心６に係る距離Ｌとストロボ配光中心７に係る距離Ｌの差が大きいときに、測光エリア１０をストロボ配光中心７の方向へシフトさせたとすると、主となる被写体Ｚ１からの反射光が返ってこないエリアブロック１００ａを測光エリア１０とすることになる。そうすると、反射光の少ない測光エリア１０の割合が大きい状態で測光を行なうことになる。そうすると、主となる被写体Ｚ１の適正な明るさがずれてしまう。これを防ぐため、レンズ光軸中心６に係る距離Ｌと、ストロボ配光中心７に係る距離Ｌとの差が、所定の閾値よりも大きいときは、測光エリア１０をシフトさせたり、拡大させたりすることなく、ストロボ撮影を行うようにすればよい。
【００６４】
●撮像装置１の処理（３）
次に、本発明に係る撮像装置のさらに別の実施の形態について、先に説明した実施の形態と異なる部分を中心に説明する。本実施の形態に係る撮像装置は、パララックス演算処理（Ｓ１４）の結果に基づいて、ストロボ配光中心７に相当する位置をスルー画の表示ともに、ＬＣＤモニタ１２４に表示する。例えば、ストロボ配光中心７の位置に破線十字形からなるマークを表示すればよい。このマークを、第１レリーズが検知された後において表示を開始し、第２レリーズが検知されるまで継続すればよい。
【００６５】
これによって、ユーザーに対して事前に、パララックスによる配光偏倚が生じる可能性があることを警告することができる。また、そのまま撮影を行うと、ストロボ光の影響で画像が明るくなる位置を事前にユーザーへ伝えることができる。これによって、ユーザーは、スポット測光エリアをマニュアル操作などでシフトさせて、適正な露光量で撮影を行うことが容易にできる。
【００６６】
●撮像装置１の処理（４）
次に、本発明に係る撮像装置のさらに別の実施の形態について、先に説明した実施の形態と異なる部分を中心に説明する。パララックスの影響が大きい近距離撮影時のブラケット撮影を行うときは、最適な明るさが得られる測光エリア１０を特定することは難しい。このためマクロ撮影を行うときは、測光エリア１０を所定のパターンで変更させながら、各パターンで複数枚の撮影を行えばよい。このように、測光エリア１０を変化させながら、複数枚に撮影を行うことで、適正な露光量となる撮影が行ないやすくなる。
【００６７】
このように、本実施の形態に係る撮像装置１は、パララックスによる配光偏倚が生ずるときには、測光エリア１０の位置をシフトさせたり、測光エリア１０の大きさを拡大させたり、幾つかの測光エリア１０の設定を組み合わせて用いることで、配光偏倚による画像の明るさの乱れを、適正に補正することができる。
【００６８】
以上説明したように、本発明に係る撮像装置によれば、パララックスによる配光偏倚を軽減し、良好なストロボ撮影画像を得ることができる。
【符号の説明】
【００６９】
１    撮像装置
２    撮影レンズ
３    ストロボ装置
４    レンズ光軸
５    ストロボ光軸
６    レンズ光軸中心
７    ストロボ光軸中心
１０  測光エリア
２０  補正測光エリア
【先行技術文献】
【特許文献】
【００７０】
【特許文献１】特開平５−１４５８３４号公報
【図１】
2014053869.tif 000003
【図２】
2014053869.tif 000004
【図３】
2014053869.tif 000005
【図５】
2014053869.tif 000006
【図６】
2014053869.tif 000007
【図８】
2014053869.tif 000008
【図９】
2014053869.tif 000009
【図１１】
2014053869.tif 000010
【図４】
2014053869.tif 000011
【図７】
2014053869.tif 000012
【図１０】
2014053869.tif 000013
【図１２】
2014053869.tif 000014
【図１３】
2014053869.tif 000015
【図１４】
2014053869.tif 000016